(57)【要約】  【課題】過大な圧縮力によりトラスフレームが落下することを防止すると共に、変形が生じた場合も比較的容易に復旧できるエスカレーター装置の提供。  【解決手段】建築構造物の下階床と上階床との間に架設され、前記下階床に支持される下部水平部と、前記上階床に支持される上部水平部と、前記下部水平部と前記上部水平部との間に形成される傾斜部とを有するトラスフレームを備えたエスカレーター装置において、前記トラスフレームは、前記下部水平部と前記傾斜部との間に形成される下部折れ点部と、前記上部水平部と前記傾斜部との間に形成される上部折れ点部とのうちの少なくとも一方に、前記トラスフレームの他の領域より低剛性で交換可能な変形誘発部を有することを特徴とする。【選択図】  図１
2017114593.tif 000002
【特許請求の範囲】
【請求項１】
建築構造物の下階床と上階床との間に架設され、前記下階床に支持される下部水平部と、前記上階床に支持される上部水平部と、前記下部水平部と前記上部水平部との間に形成される傾斜部とを有するトラスフレームを備えたエスカレーター装置において、
前記トラスフレームは、前記下部水平部と前記傾斜部との間に形成される下部折れ点部と、前記上部水平部と前記傾斜部との間に形成される上部折れ点部とのうちの少なくとも一方に、前記トラスフレームの他の領域より低剛性で交換可能な変形誘発部を有することを特徴とするエスカレーター装置。
【請求項２】
前記変形誘発部は、前記トラスフレームに働く水平方向、高さ方向および幅方向の荷重を受けて変形可能であることを特徴とする請求項１に記載のエスカレーター装置。
【請求項３】
前記変形誘発部は、穴により断面係数が低減された鋼材で構成されていることを特徴とする請求項１に記載のエスカレーター装置。
【請求項４】
前記変形誘発部は、スリットにより断面係数が低減された鋼材で構成されていることを特徴とする請求項１に記載のエスカレーター装置。
【請求項５】
前記変形誘発部は、前記トラスフレームの他の領域を構成する鋼材より厚さ寸法または幅寸法が小さいことにより断面係数が低減された鋼材で構成されていることを特徴とする請求項１に記載のエスカレーター装置。
【発明の詳細な説明】
【技術分野】
【０００１】
本発明は、エスカレーター装置に関する。
【背景技術】
【０００２】
エスカレーター装置は、建築構造物の下階床と上階床との間に架設され、下階床に延在する下部水平部、上階床に延在する上部水平部、および下部水平部と上部水平部との間に形成される傾斜部を有するトラスフレームを備えている。
【０００３】
そして、地震動や各種振動により建築構造物において発生する層間変形に対応可能とするものとして、特開２００８−１９５４７０号公報（特許文献１）には、トラスフレームの下部水平部と傾斜部との間の下部折れ点部（下屈曲部）、および上部水平部と傾斜部との間の上部折れ点部（上屈曲部）を補強する補強板を備えることが示されている。
【先行技術文献】
【特許文献】
【０００４】
【特許文献１】特開２００８−１９５４７０号公報
【発明の概要】
【発明が解決しようとする課題】
【０００５】
ところで、前述した特許文献１に記載されるエスカレーター装置は、補強板によりトラスフレームの下部折れ点部および上部折れ点部を高剛性とするものであるが、大規模地震により大きな層間変形が層間を短縮する方向で発生すると、過大な圧縮力がトラスフレームに作用し、トラスフレームはやはり変形する。この際、想定外のトラスフレーム変形が起きると、トラスフレームが落下する恐れがあった。特許文献１に記載のものは補強板を備えることにより、荷重がかかる場所が想定しにくく、変形がトラスフレームのどの領域で起きるかを判断することが難しかった。この問題は、補強板を備えない通常のトラスフレームでも生じうる。さらに、一定以上の変形が生じた場合、このトラスフレームを補修して用いることは難しく、多くの場合、乗客コンベア装置を復旧するために、既設トラスフレームの取外し、および新設トラスフレームの設置を要し、多大な労力およびコストがかかるという課題があった。
【０００６】
本発明は、前述した従来技術における実状からなされたもので、その目的は、過大な圧縮力によりトラスフレームに変形が生じた場合も比較的容易に復旧することのできるエスカレーター装置を提供することにある。
【課題を解決するための手段】
【０００７】
前記目的を達成するために、本発明は、建築構造物の下階床と上階床との間に架設され、前記下階床に支持される下部水平部と、前記上階床に支持される上部水平部と、前記下部水平部と前記上部水平部との間に形成される傾斜部とを有するトラスフレームを備えたエスカレーター装置において、前記トラスフレームは、前記下部水平部と前記傾斜部との間に形成される下部折れ点部と、前記上部水平部と前記傾斜部との間に形成される上部折れ点部とのうちの少なくとも一方に、前記トラスフレームの他の領域より低剛性で交換可能な変形誘発部を有することを特徴とする。
【発明の効果】
【０００８】
本発明によれば、過大な圧縮力によりトラスフレームに変形が生じた場合も比較的容易に復旧することができる。なお、前述した以外の課題、構成および効果は、以下の実施形態の説明により明らかにされる。
【図面の簡単な説明】
【０００９】
【図１】本発明の一実施形態によるエスカレーター装置のトラスフレーム下部を示す側面図である。
【図２】本実施形態によるトラスフレーム上部を示す側面図である。
【図３】本実施形態による変形誘発部の他の例を示す側面図である。
【図４】本実施形態による変形誘発部のさらに他の例を示す側面図である。
【図５】本発明が適用されるエスカレーター装置の概略構成図である。
【発明を実施するための形態】
【００１０】
本発明の実施例を、図面を参照しながら説明する。尚、各図において、同一又は類似の構成要素には同じ符号を付し、説明を省略する。
【００１１】
図５は、本発明が適用されるエスカレーター装置の概略構成図である。
【００１２】
エスカレーター装置１は、建屋の下階床Ｆ１と上階床Ｆ２との間に架設され、下階床Ｆ１に支持される下部水平部２ａと、上階床Ｆ２に支持される上部水平部２ｂと、下部水平部２ａと上部水平部２ｂとの間に形成される傾斜部２ｃとを有するトラスフレーム２を備えている。
【００１３】
下部水平部２ａの終端部には、下階床Ｆ１の建築受台Ｆ１ａに載置される下部支持アングル３が設けられると共に、上部水平部２ｂの終端部には、上階床Ｆ２の建築受台Ｆ２ａに載置される上部支持アングル４が設けられている。
【００１４】
トラスフレーム２には、構成部品、例えば、無端状に連結され、乗降口間を移動する複数の踏段５や、複数の踏段５の進行方向に沿って立設される欄干６などが設けられている。
【００１５】
図１は、本発明の一実施形態によるエスカレーター装置のトラスフレーム下部を示す側面図、図２は、本実施例によるトラスフレーム上部を示す側面図である。
【００１６】
本実施形態のエスカレーター装置１は、層間変形に伴う過大な圧縮力によりトラスフレーム２が落下することを防止すると共に、変形が生じた場合も比較的容易に復旧するために工夫が施してある。具体的には、トラスフレーム２は、下部水平部２ａと傾斜部２ｃとの間に形成される下部折れ点部２ｄに、トラスフレーム２の他の領域より低剛性で交換可能な変形誘発部７を有すると共に、上部水平部２ｂと傾斜部２ｃとの間に形成される上部折れ点部２ｅに、トラスフレーム２の他の領域より低剛性で交換可能な変形誘発部８を有している。このように下部折れ点部２ｄおよび上部折れ点部２ｅに変形誘発部７、８を設けたのは、検証の結果、過大な圧縮力がトラスフレーム２に作用したとき、トラスフレーム２の変形が折れ点部（下部折れ点部２ｄ、上部折れ点部２ｅ）、すなわち、トラスフレームの水平部（下部水平部２ａ、上部水平部２ｂ）と傾斜部２ｃとの間の接合部で主に発生することが明らかになったからである。尚、変形誘発部７、８は、下部折れ点部２ｄと上部折れ点部２ｅとの両方に設けるのではなく、何れか一方に設けるようにしてもよい。
【００１７】
変形誘発部７は、三つ又状に分岐し、１つ目のつなぎ部７ａは下部水平部２ａの上弦材２０に接続され、２つ目のつなぎ部７ｂは傾斜部２ｃの上弦材２１に接続され、３つ目のつなぎ部７ｃは下部折れ点部２ｄにあって斜めに配置される斜め材２２に接続され、トラスフレーム２に働く水平方向、高さ方向および幅方向の荷重を受けて変形可能となっている。
【００１８】
変形誘発部８は、三つ又状に分岐し、１つ目のつなぎ部８ａは上部水平部２ｂの上弦材２３に接続され、２つ目のつなぎ部８ｂは傾斜部２ｃの上弦材２４に接続され、３つ目のつなぎ部８ｃは上部折れ点部２ｅにあって斜めに配置される斜め材２５に接続され、トラスフレーム２に働く水平方向、高さ方向および幅方向の荷重を受けて変形可能となっている。
【００１９】
変形誘発部７、８は、鋼材のダウンサイズ、例えば変形誘発トラス７、８を構成する鋼材（Ｌ型鋼材）を、トラスフレーム２の他の領域を構成する鋼材（Ｌ型鋼材）より小さな厚さ寸法、または、小さな幅寸法のものとすることにより、断面係数を相対的に低減し、トラスフレーム２の他の領域より低剛性としている。
【００２０】
図３は、本実施形態による変形誘発部の他の例を示す側面図、図４は、本実施形態による変形誘発部のさらに他の例を示す側面図である。
【００２１】
図１および図２に示す変形誘発部７、８では、鋼材のダウンサイズにより断面係数を低減しているが、図３に示すように、変形誘発部７０の鋼材に成形される複数の穴７１により断面係数を低減したり、変形誘発部８０の鋼材に成形される複数のスリット８１により断面係数を低減したりして、トラスフレーム２の他の領域より低剛性とすることもできる。
【００２２】
本実施形態にあっては、地震動により下階床Ｆ１と上階床Ｆ２との層間寸法を短縮する方向に大きな層間変形が発生すると、過大な圧縮力がトラスフレーム２に作用する。この圧縮力により所定値以上の荷重がトラスフレーム２に作用したとき、トラスフレーム２の他の領域より低剛性とされる変形誘発部７、８が他の領域よりも優先的に変形する。このとき、変形誘発部７、８は、地震動に応じてトラスフレーム２に働く水平方向、高さ方向および幅方向の荷重を受けて変形する。
【００２３】
この後、エスカレーター装置の復旧を行う場合、トラスフレーム２から変形した変形誘発部７、８を取外し、新たな変形誘発部７、８に付け替える。この付け替え作業は、例えばジャッキ機能を有する器具によりトラスフレーム２を仮固定し、トラスフレーム２全体が変形することを防いだ状態で行う。そして、地震動により破損していない他の部位は既設のものを用い、エスカレーター装置を稼働可能な状態とする。
【００２４】
本実施形態によれば、トラスフレーム２の下部折れ点部２ｄと、上部折れ点部２ｅとのうち少なくとも一方に、トラスフレーム２の他の領域より低剛性で交換可能な変形誘発部７、８を設けたことにより、層間変形によりトラスフレーム２に過大の圧縮力が作用した場合、変形誘発部７、８を積極的に変形させて圧縮力を吸収し、トラスフレーム２の他の領域が変形することを防ぐことができる。また、変形誘発部７、８は交換可能であることから、過大な圧縮力により変形した場合、この部分のみ交換すればよく、迅速にエスカレーター装置を復旧することができ、復旧に要するコストの低減を図ることができる。
【００２５】
また、変形誘発部７、８は、トラスフレーム２に働く水平方向、高さ方向および幅方向の荷重を受けて変形可能なものであることから、トラスフレーム２に働く荷重を確実に受けて変形し、トラスフレーム２の他の領域が変形することを防ぐことができる。
【００２６】
さらに、変形誘発部７、８のそれぞれは、一体構造であることから、その製作を容易なものとすることができ、変形誘発部７、８の交換は、同一形状を有する部位の交換となるため、交換作業も容易なものとすることができる。
【００２７】
以上、本発明の実施例を説明してきたが、これまでの実施例で説明した構成はあくまで一例であり、本発明は、技術思想を逸脱しない範囲内で適宜変更が可能である。また、それぞれの実施例で説明した構成は、互いに矛盾しない限り、組み合わせて用いても良い。
【符号の説明】
【００２８】
１  エスカレーター装置
２  トラスフレーム
２ａ  下部水平部
２ｂ  上部水平部
２ｃ  傾斜部
２ｄ  下部折れ点部
２ｅ  上部折れ点部
３  下部支持アングル
４  上部支持アングル
５  踏段
６  欄干
７、８、７０、８０  変形誘発部
７ａ〜７ｃ、８ａ〜８ｃ  つなぎ部
Ｆ１  下階床
Ｆ２  上階床
【図１】
2017114593.tif 000003
【図２】
2017114593.tif 000004
【図３】
2017114593.tif 000005
【図４】
2017114593.tif 000006
【図５】
2017114593.tif 000007